(57)【特許請求の範囲】
【請求項１】
環状に配置されたたて糸（２）と、当該たて糸（２）に対して螺旋状に織り込まれた合成樹脂の剛直なモノフィラメントよりなるよこ糸（３）とを織成してなる織物管（１）の接続方法であって、接続される一方の織物管（１ａ）の一端を、その外径が他の部分の内径より若干小さくなるまで縮小し、その縮小した端末を他方の織物管（１ｂ）の一端に挿入し、当該他方の織物管（１ｂ）の一端部を加熱して前記よこ糸（３）を収縮せしめることを特徴とする、織物管の接続方法
【請求項２】
前記たて糸（２）の一部が低融点たて糸（２ａ）よりなり、織物管（１）を加熱して前記低融点たて糸（２ａ）を溶融せしめることにより織物管（１）を長さ方向に剛直化せしめていることを特徴とする、請求項１に記載の織物管の接続方法
【請求項３】
前記低融点たて糸（２ａ）が、高融点の合成樹脂よりなる芯部（５）と、該芯部（５）の周囲を取り巻いた低融点の合成樹脂よりなる鞘部（６）とよりなる、芯鞘型繊維（４）よりなることを特徴とする、請求項２に記載の織物管の接続方法
【請求項４】
前記一方の織物管（１ａ）の一端を加熱して、よこ糸（３）を収縮せしめることにより、その外径が他の部分の内径より若干小さくなるまで縮小していることを特徴とする、請求項１に記載の織物管の接続方法
【発明の詳細な説明】
【技術分野】
【０００１】
本発明は崖地などにおいて、土中に含まれた水を集めて抜くための集排水管として使用される織物管を、長さ方向に接続するための方法に関するものである。
【背景技術】
【０００２】
崖地などにおいて土中に水を多量に含んでいると、地滑りや崖崩れなどの災害を生じる恐れがあり、当該土中に含まれた水を集めて、崖地などの外部に排除することが必要とされる。
【０００３】
このための集排水管として、実開昭５４−９８０１０号公報に記載されているように、金属線又は硬質合成樹脂の線材をよこ糸とし、通常の軟質繊維をたて糸として織成した筒状織布を使用することが考えられている。
【０００４】
当該筒状織布を前記水抜き用の管体として水を含んだ土中に敷設し、当該筒状織布の布目の間から土中の水を筒状織布の内部に集め、筒状織布の中を通して崖地などの外部に排出するとするものである。
【０００５】
この方法では筒状織布を使用するため、前記硬質ポリ塩化ビニルの管に比べると柔軟であり、これを巻回した状態で運搬することができるので、比較的長い筒状織布を敷設することが可能である。
【０００６】
しかしながらかかる長い筒状織布を土中に穿設した敷設孔に押し込もうとすると、敷設孔の外から筒状織布を押し込むこととなり、筒状織布自体が比較的柔軟であり、しかも運搬のときの巻回癖がついているため、筒状織布が敷設孔内に引っ掛かり、高々数メートル程度の距離しか押し込むことができない。
【０００７】
前述のような水を含んだ土中に水抜き管を敷設する場合には、数十メートル程度の長さに亙って敷設することが好ましく、前記特許文献に記載された方法ではこのような長い範囲に敷設することができない。
【０００８】
かかる事情に鑑み出願人は、たて糸の少なくとも一部が低融点糸よりなり、よこ糸の少なくとも一部が剛性の高いモノフィラメントよりなる織物管を発明し（特願２０１５−２００３５１号）、これを加熱して低融点糸を溶融した後冷却し、剛直化しながら崖地に押し込むことを考えた。
【０００９】
前記発明の織物管は、土中に埋設した状態においては、集排水管としての性能に優れているのであるが、これを作業現場において加熱したり冷却したりして敷設するために、多大の労力を要し、傾斜地などにおいては現場作業に向いていなかった。
【００１０】
そこで前記織物管を予め加熱して剛直化しておくことを考えたが、それでは長尺のものを一体のものとして取り扱うことができず、短尺に裁断しなければトラックなどで運搬することができない。
【００１１】
また図５に示すように、織物管１を短尺に裁断して、それを接続部１０において接続して長くしながら崖地１１に穿設した敷設孔１２に押し込むことも考えられるが、これを敷設孔１２に押し込むときに、敷設孔１２内に引っ掛かり、押し引きを繰り返さざるを得ないことも少なくなく、そのようなときに接続部１０が抜けると、先の方が崖地１１内に取り残されてしまい、その敷設孔１２を使用できなくなる恐れもある。
【先行技術文献】
【特許文献】
【００１２】
【特許文献１】実開昭５４−９８０１０号公報
【特許文献２】特願２０１５−２００３５１号
【発明の概要】
【発明が解決しようとする課題】
【００１３】
本発明はかかる事情に鑑みなされたものであって、前記織物管を作業現場において容易に且つ強固に接続し、長尺の一体の織物管として取り扱うことができる方法を提供することを目的とするものである。
【課題を解決するための手段】
【００１４】
而して本発明は、環状に配置されたたて糸と、当該たて糸に対して螺旋状に織り込まれた合成樹脂の剛直なモノフィラメントよりなるよこ糸とを織成してなる織物管の接続方法であって、接続される一方の織物管の一端を、その外径が他の部分の内径より若干小さくなるまで縮小し、その縮小した端末を他方の織物管の一端に挿入し、当該他方の織物管の一端部を加熱して前記よこ糸を収縮せしめることを特徴とするものである。
【００１５】
本発明においては、前記たて糸の一部が低融点たて糸よりなり、織物管を加熱して前記低融点たて糸を溶融せしめることにより、当該織物管を長さ方向に剛直化せしめていることが好ましい。
【００１６】
前記低融点たて糸としては、高融点の合成樹脂よりなる芯部と、該芯部の周囲を取り巻いた低融点の合成樹脂よりなる鞘部とよりなる、芯鞘型繊維よりなるものであることが好ましい。
【００１７】
また本発明においては、前記一方の織物管の一端を加熱して、よこ糸を収縮せしめることにより、その外径が他の部分の内径より若干小さくなるまで縮小していることが好ましい。
【発明の効果】
【００１８】
本発明によれば、一方の織物管の一端をその外径が他の部分の内径より若干小さくなるまで縮小し、その縮小した端末を他方の織物管の一端に挿入し、当該他方の織物管の一端部を加熱して前記よこ糸を収縮せしめるので、当該他方の織物管の端末が前記一方の織物管の端末を締め付け、強固に固定することができる。
【００１９】
特に本発明においては、織物管のよこ糸が剛直なモノフィラメントよりなっているので、前記他方の織物管のよこ糸のモノフィラメントが熱収縮によりその内側の前記一方の織物管を締め付け、織物管の凹凸が互いに食い込むことにより、織物管同士が強固に固定されるのである。
【図面の簡単な説明】
【００２０】
【図１】本発明の工程を示す中央縦断面図
【図２】織物管の横断面図
【図３】剛直化した織物管の横断面図
【図４】芯鞘型低融点糸の横断面図であって、（ａ）は通常状態、（ｂ）は加熱した状態を示す。
【図５】本発明により接続された織物管の使用状態を示す中央縦断面図
【発明を実施するための形態】
【００２１】
以下本発明を図面に基づいて説明する。図１は本発明の工程を示すものであって、（ａ）は接続される織物管１の端部を示し、（ｂ）はその端部を結合した状態、（ｃ）はその端部を確実に接続した状態を示す。
【００２２】
而して本発明における織物管１は、図２に示すようなものであって、環状に配置されたたて糸２と、当該たて糸２に対して螺旋状に織り込まれた合成樹脂の剛直なモノフィラメントよりなるよこ糸３とを織成してなっている。そして前記たて糸２としては、低融点糸よりなる低融点たて糸２aと、通常の糸条よりなる通常たて糸２ｂとが、数本ずつ交互に配置されている。
【００２３】
前記低融点たて糸２aを構成する低融点糸は、図４（ａ）に示すように高融点の合成樹脂よりなる芯部５と、該芯部５の周囲を取り巻いた低融点の合成樹脂よりなる鞘部６とよりなる、芯鞘型繊維４よりなるものを使用するのが好ましい。かかる芯鞘型繊維４としては、ユニチカファイバー株式会社製の、商品名コルネッタとして市販されているものが知られている。
【００２４】
そしてこの芯鞘型繊維４を加熱して低融点の合成樹脂よりなる鞘部６が溶融すると、図４（ｂ）に示すように溶融した鞘部６が合体して一体化するため、芯鞘型繊維４同士が一体化して、低融点糸は芯鞘型繊維４同士の融通が利かなくなり、糸条として剛直なものとなる。
【００２５】
而してこの織物管１は、図２の状態においては、低融点たて糸２aも通常たて糸２bも共に通常の糸条として挙動するので、通常の筒状の織布と同様であって、よこ糸３がモノフィラメントよりなっているので扁平に折り畳むことはできないものの、相当程度の柔軟性を有している。
【００２６】
そしてこの織物管１を、前記低融点糸の融点よりもわずかに高い温度に加熱すると、図３に示すように、低融点たて糸２aにおける低融点糸が一部溶融して隣接する低融点たて糸２ａと合体する。
【００２７】
なおこのとき、低融点たて糸２aは完全に溶融してドロドロの状態になるわけではなく、低融点たて糸２aを構成する単繊維が部分的に溶融し、隣接する単繊維と融着し、さらによこ糸３とも部分的に融着する。
【００２８】
また低融点糸が前述の芯鞘型繊維４よりなるものである場合には、鞘部６の合成樹脂の融点より高い温度に加熱することにより、図４（ｂ）に示すように鞘部６が溶融して合体する。このときの温度は芯部５の合成樹脂の融点より低いので、芯部５は溶融することはない。
【００２９】
次いで加熱していた織物管１を冷却すると、溶融していた低融点たて糸２aは隣接する低融点たて糸２aと合体した状態で固化し、低融点たて糸２aが集まった部分は一体化し、剛直化する。
【００３０】
低融点糸が前記芯鞘型繊維４よりなる場合においても、鞘部６の合成樹脂は互いに合体した状態のままで固化する。これにより鞘部６の合成樹脂は全体として一体となり、芯鞘型繊維４の柔軟性は失われ、織物管１は剛直化する。
【００３１】
本発明においては、この剛直化した織物管１を使用するのである。織物管１は剛直であるため、崖地の敷設孔に押し込むのは容易であるが、その反面運搬には短く切らなければならず、その短尺の織物管１を接続する必要があるのである。
【００３２】
而して本発明においては、図１（ａ）に示すように、一方の織物管１ａの一端をその外径が他の部分の内径より若干小さくなるまで縮小して、縮小部７を形成している。この織物管１ａの一端の径を縮小する方法としては、最初からその端部の径を小さくなるように織成することもできるが、当該端部を加熱してよこ糸３のモノフィラメントを熱収縮せしめ、それによって径を縮小するのが好ましい。
【００３３】
この織物管１ａのたて糸２の一部が低融点たて糸２ａであるときには、前記端部を加熱するときに低融点糸も溶融するが、それ以外の通常たて糸２ｂもあるため、当該通常たて糸２ｂは溶融することなくたて糸としての役目を果たすことができる。また低融点たて糸２ａが前記芯鞘型繊維４よりなるものであるときには、当該芯鞘型繊維４における芯部５も溶融することなく、強度を保っている。
【００３４】
そして図１（ｂ）に示すように、この一方の織物管１ａの端末の縮小部７を、他方の織物管１ｂの一端内に挿入し、当該他方の織物管１ｂの一端部を加熱し、当該他方の織物管１ｂのよこ糸３のモノフィラメントを縮小せしめ、これによって図１（ｃ）に示すように、当該他方の織物管１ｂの径を縮小せしめ、前記一方の織物管１ａを締め付けて接続するのである。
【００３５】
このとき図１（ｃ）に示すように、織物管１のよこ糸３が剛直なモノフィラメントであり、そのモノフィラメントによる凹凸が織物管１の内外面に現れており、その凹凸が噛み合い且つ他方の織物管１ｂのよこ糸が前記一方の織物管１ａを締め付けることにより、両織物管１が抜けることなく接続されるのである。
【００３６】
本発明により接続した織物管１について接続部１０の両側から引っ張り試験をしたところ、接続部１０において織物管１同士が抜けることなく、接続部１０以外の部分において織物管１が破断した。
【００３７】
なお本発明において織物管１の一端部の径を縮小せしめるのは、作業現場において縮小することも可能ではあるが、加熱の程度を設定して径を正確に縮小せしめるためには、織物管１を出荷する前に工場において径を縮小せしめるのが好ましい。
【００３８】
また作業現場において他方の織物管１ｂの端末を加熱して縮小せしめる方法は、特に限定されるものではないが、通常のバーナー又はドライヤーなどを使用して加熱するのが適当である。
【００３９】
本発明によれば、織物管１が剛直な状態で作業現場に供給され、当該作業現場で接続しながら敷設孔１２内に押し込むことができるので、数十メートルに及ぶ織物管１を敷設孔１２内に敷設することができる。
【００４０】
しかも本発明によれば、織物管１の内外面の凹凸が強固に噛み合った状態で接続され、しかも前述のように織物管１が破断するまでその接続部１０が抜けることがないので、織物管１が敷設孔１２内に引っ掛かって織物管１を押し引きを繰り返すことになったとしても、それによって接続部１０が抜けることがなく、十分に奥まで織物管１を挿入することが可能である。
【符号の説明】
【００４１】
１  織物管
２  たて糸
３  よこ糸
４  芯鞘型繊維
５  芯部
６  鞘部
７  縮小部
１０  接続部
１１  崖地
１２  敷設孔
【図１】
0006707281.tif 000002
【図２】
0006707281.tif 000003
【図３】
0006707281.tif 000004
【図４】
0006707281.tif 000005
【図５】
0006707281.tif 000006